(57)【要約】      （修正有）【課題】手動発電懐中電灯の取替え簡単な電池構造を提供する。【解決手段】上記手動発電懐中電灯は、ケーシング１０と発電機２０、回路基板４０、電池座、照明灯セット及び手動駆動機構８０が備えられ、上記ケーシングは、開口１６が設けられ、上記開口に、封止するための、簡単に装着可能なカバー１７が嵌合され、上記発電機と伝達ユニット、回路基板、電池座５０及び照明灯セット６０は、上記ケーシング内に設置される。上記電池座に対して、ケーシングの開口から、電池を、実装することができ、また、取り外すことができ、上記電池は、充電可能なものであり、上記手動駆動機構は、上記ケーシングの外部に枢着され、上記発電機を駆動して発電させる。上記の構成により、充電可能電池が壊れたら、簡単に取替えることができ、資源の無駄使いを解消できる。【選択図】図１
0003183168.tif 000002
【実用新案登録請求の範囲】
【請求項１】
内部に収納空間があって、開口が形成され、上記開口に、封止するための簡単に装却可能なカバーが設けられるケーシングと、
上記ケーシングの収納空間内に設置される発電機と、
上記ケーシングの収納空間内に設置され、配線で、上記発電機と電池座に電気的に接続される回路基板と、
上記ケーシングの収納空間内に設置され、上記ケーシングの開口から、電池が実装され、また、電池がはずされることができる電池座と、
上記ケーシングの収納空間内に設置されて、回路基板に連結される照明灯セットと、
上記ケーシング外部に枢着され、ケーシング内へ伸び、上記発電機を駆動して発電させる手動駆動機構と、
が含有される、
ことを特徴とする手動発電懐中電灯の取替え簡単な電池構造。
【請求項２】
更に、上記ケーシングの収納空間内に設置されて、同時に、上記発電機と上記手動駆動機構に噛合って連動する、歯車対の伝達ユニットが備えられる、ことを特徴とする請求項１に記載の手動発電懐中電灯の取替え簡単な電池構造。
【請求項３】
上記ケーシングに、制御ボタンが設けられ、上記回路基板に、ケーシングの制御ボタンと連動するスウィッチ装置が設けられ、上記制御ボタンを操作して、上記スウィッチ装置を制御でき、上記ケーシングの一端に、灯笠が結合され、上記照明灯セットが、上記灯笠内までに貫設され、上記ケーシングに、外部接続電源穴が形成され、上記外部接続電源穴と上記回路基板とが、電気的に接続される、ことを特徴とする請求項１に記載の手動発電懐中電灯の取替え簡単な電池構造。
【考案の詳細な説明】
【技術分野】
【０００１】
本考案は、手動発電懐中電灯に関し、特に、直接に外部から充電式電池を取替えが可能である手動発電懐中電灯の取替え簡単な電池構造に関する。
【背景技術】
【０００２】
従来の懐中電灯は、電池を電源として、便利的に携帯できる照明器であるが、電池の電力が枯れると、上記従来の懐中電灯は、持続的に照明することができなく、実用上、非常に不便であり、そのため、業者が、手動発電懐中電灯を開発した。
【０００３】
従来の手動発電懐中電灯は、ケーシング内に、伝達ユニットや発光機、回路基板、充電可能電池及び照明灯セット等が実装され、また、上記ケーシングの外側に、上述伝達ユニットに結合されて連動される手動駆動機構が設置され、上記手動駆動機構を利用して、伝達ユニットの伝達を介して、発電機が発電でき、回路基板により、電力を、照明灯セットに供給されて照明でき、それとともに、電力を、充電可能電池に送って充電を行い、そのため、手動駆動機構の操作を停止しても、充電可能電池から、回路基板を介して、電力を、照明灯セットに供給して照明させることができる。
【０００４】
しかしながら、既存の、従来の手動発電懐中電灯は、その充電可能電池が、ケーシング内部に内蔵され、また、外すことができないように固定されるため、充電可能電池が、壊れたら、或いは、耐用寿命が切れたら、上記充電可能電池を取替えることができなく、手動発電懐中電灯全体を捨てなければならなく、資源の無駄やユーザーの購入コストが高くなる等の問題点がある。
【０００５】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】
本考案の目的は、充電可能電池が、回路基板に電気的に接続された電池座内に実装され、手動駆動機構を操作して発電機を発電させる時、回路基板を介して、電力を、充電可能電池に供給して充電させ、また、充電可能電池が、壊れたら、或いは、耐用寿命が切れたら、簡単に、上記充電可能電池を取替えることができ、或いは、一般の乾電池に取り替えることができ、資源の無駄を解消することやユーザーのコストを節約することができる手動発電懐中電灯の取替え簡単な電池構造を提供する。
【課題を解決するための手段】
【０００７】
請求項１の考案は、内部に収納空間があって、開口が形成され、上記開口に、封止するための簡単に装却可能なカバーが設けられるケーシングと、上記ケーシングの収納空間内に設置される発電機と、上記ケーシングの収納空間内に設置され、配線で、上記発電機と電池座に電気的に接続される回路基板と、上記ケーシングの収納空間内に設置され、上記ケーシングの開口から、電池が実装され、また、電池がはずされることができる電池座と、上記ケーシングの収納空間内に設置されて、回路基板に連結される照明灯セットと、上記ケーシング外部に枢着され、ケーシング内へ伸び、上記発電機を駆動して発電させる手動駆動機構と、が含有される、ことを特徴とする手動発電懐中電灯の取替え簡単な電池構造である。
【０００８】
請求項２の考案は、更に、上記ケーシングの収納空間内に設置されて、同時に、上記発電機と上記手動駆動機構に噛合って連動する、歯車対の伝達ユニットが備えられる、ことを特徴とする請求項１に記載の手動発電懐中電灯の取替え簡単な電池構造である。
【０００９】
請求項３の考案は、上記ケーシングに、制御ボタンが設けられ、上記回路基板に、ケーシングの制御ボタンと連動するスウィッチ装置が設けられ、上記制御ボタンを操作して、上記スウィッチ装置を制御でき、上記ケーシングの一端に、灯笠が結合され、上記照明灯セットが、上記灯笠内までに貫設され、上記ケーシングに、外部接続電源穴が形成され、上記外部接続電源穴と上記回路基板とが、電気的に接続される、ことを特徴とする請求項１に記載の手動発電懐中電灯の取替え簡単な電池構造である。
【００１０】
以下、図面を参照しながら、本考案の特徴や技術内容について、詳しく説明するが、それらの図面等は、参考や説明のためであり、本考案は、それによって制限されることが無い。
【考案を実施するための形態】
【００１１】
図１乃至図３を参照しながら、本考案に係る手動発電懐中電灯の取替え簡単な電池構造によれば、上記手動発電懐中電灯は、ケーシング10と発電機20、伝達ユニット30、回路基板40、電池座50、照明灯セット60、電池70及び手動駆動機構80が備えられ、上記ケーシング10は、相対的に嵌合できる第一のケーシング部材11と第二ケーシング部材12及び透明的な灯笠13からなり、上記ケーシング10は、内部に、収納空間14があり、また、上記ケーシング10に、制御ボタン15と開口16が設けられ、上記開口16に、封止するための、簡単に装却可能なカバー17が設けられ、上記発電機20は、上記ケーシング10の収納空間14内に設置され、電磁誘導作用により、電力が生成され、上記伝達ユニット30は、歯車対で、上記ケーシング10の収納空間14内に、上記発電機20に噛合って連動すうように設置され、上記回路基板40は、上記ケーシング10の収納空間14内に、配線41で上記発電機20と電池座50に電気的に接続されるように設置され、そして、上記回路基板40に、ケーシング10の制御ボタン15に連動されるスウィッチ装置42が設けられ、上記制御ボタン15で、上記スウィッチ装置42を操作でき、上記電池座50は、上記ケーシング10の収納空間14内に設置され、また、上記第一のケーシング部材11或いは第二ケーシング部材12と一体成型されてもよく、上記電池座50に、電池70を、ケーシング10の開口16から実装することができ、或いは、取り外すことができ、上記電池70は、充電可能で、上記照明灯セット60は、上記ケーシング10の収納空間14内に、回路基板40に連結されるように設置され、また、上記ケーシング10の灯笠13内部まで貫設され、上記手動駆動機構80は、上記ケーシング10の外部に枢着され、また、ケーシング10内部まで貫設され、上記伝達ユニット30を連動させることができる。
【００１２】
本考案によれば、手動発電を行う時、手動駆動機構80を操作して、伝達ユニット30の歯車対が連動されて回転され、また、上記伝達ユニット30で、発電機20が回転して発電し、それから、発電機20によって生成された電力を、回路基板40を介して、照明灯セット60に供給し、これにより、照明灯セット60が発光して照明でき、それとともに、発電機20によって生成された電力を、回路基板40を介して、電池座50へ送られ、電池座50の内部に実装された充電可能電池70に充電し、そのため、手動駆動機構80の操作を停止する時、充電可能電池70から、回路基板40を介して、電力を照明灯セット60へ供給でき、照明灯セット60を発光させて照明し、また、使用する時、上記ケーシング10に設置された制御ボタン15で、本考案に係る手動発電懐中電灯の照明開閉を操作できる。
【００１３】
また、上記ケーシング10に、外部接続電源穴18が設けられ、上記外部接続電源穴18が、上記回路基板40に電気的に接続され、上記外部接続電源穴18から、外部電源線プラグが挿接され、回路基板40を介して、電力を、充電可能電池70に対して充電できる。
【００１４】
また、上記充電可能電池70は、図１と図２のような円筒状電池の他に、図４のようなボタン型電池或いは他の形状の電池であっても良い。
【００１５】
以上の具体的な実施例によれば、次の利点が得られる。本考案に係る手動発電懐中電灯は、充電可能電池70が、回路基板40に電気的に接続された電池座50内に実装され、手動駆動機構80を操作して発電機20を発電させる時、回路基板40を介して、電力を電池座50へ供給し、電池座50の内部に実装された充電可能電池70に対して充電でき、また、充電可能電池70が壊れたら、或いは、耐用寿命が切れたら、ケーシング10の開口16に嵌合されたカバー17を外して、ケーシング10の開口16から、簡単に、充電可能電池70を取替えることができ、また、一般の乾電池を実装でき、これにより、実用性が向上され、資源の無駄を解消でき、また、ユーザーのコストを節約できる。
【００１６】
そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案の立体分解図
【図２】本考案の他の立体分解図
【図３】本考案の外観立体図
【図４】本考案の他の実施例の立体分解図
【符号の説明】
【００１９】
10  ケーシング
11  第一のケーシング部材
12  第二ケーシング部材
13  灯笠
14  収納空間
15  制御ボタン
16  開口
17  カバー
18  外部接続電源穴
20  発電機
30  伝達ユニット
40  回路基板
41  配線
42  スウィッチ装置
50  電池座
60  照明灯セット
70  電池
80  手動駆動機構
【図１】
0003183168.tif 000003
【図２】
0003183168.tif 000004
【図３】
0003183168.tif 000005
【図４】
0003183168.tif 000006